(57)【要約】  手術用足ペダルを照明するシステムおよび方法。照明付き保護被覆は、手術装置の上部縁および側部縁のそれぞれの長さの少なくとも大半を取り囲んでいる複数の照明装置を含むことができる。照明付き保護被覆は、手術装置の上面および下面と、複数の照明装置とを取り囲んでいるシートをさらに含み、シートは、外科的処置の間、破壊屑から手術装置を保護するように構成されている。摩擦部分をシートに取り付けることができ、摩擦部分は、シートが足ペダルを取り囲んでいるときに摩擦部分が手術装置の底面に隣接するように、シート上に配置されており、摩擦部分は、足ペダルが床または他の表面に当たって滑ることを防止するように構成されている。
2017536180.tif 000002
【特許請求の範囲】
【請求項１】
手術用足ペダルを照明するためのシステムであって、
少なくとも１つの足ペダルであって、各足ペダルは、初期構成から押し下げられた構成に移行するように構成されており、各足ペダルは、前記押し下げられた構成で前記手術用足ペダルの機能を起動させるように構成されている、少なくとも１つの足ペダルと、
上部縁と、
外科的処置の間、前記上部縁よりユーザの近くにある底部縁と、
前記上部縁と前記底部縁との間に延びる１対の側部縁と、
上面と、
前記外科的処置の間、床または他の表面上に配置される下面と、を備える前記手術用足ペダルと、
前記手術用足ペダルの前記上部縁および前記側部縁それぞれの長さの少なくとも大半を取り囲んでいる複数の照明装置と、
前記手術用足ペダルの前記上面および前記下面と、前記複数の照明装置とを取り囲んでいるシートであって、前記外科的処置の間、破壊屑から前記手術用足ペダルを保護するように構成されており、前記シートは、
前記複数の照明装置から照らされる光が前記シートの外部から見えるように、光学的に透過性を有する材料であって、前記手術用足ペダルの形状に実質的に適合するのに十分な可撓性を有する、光学的に透過性を有する材料を備え、
前記シートが、前記足ペダルに固定されるように構成され、摩擦部分が前記シートに取り付けられており、前記摩擦部分は、前記シートが前記足ペダルを取り囲んでいるときに前記摩擦部分が前記手術用足ペダルの底面に隣接するように、前記シート上に配置されており、前記摩擦部分は、前記足ペダルが前記床または他の表面に対して滑ることを防止するように構成されている、シートと、
を備えることを特徴とするシステム。
【請求項２】
請求項１に記載のシステムであって、前記手術用足ペダルを受け入れるように構成されたフレームをさらに備えることを特徴とするシステム。
【請求項３】
請求項２に記載のシステムであって、前記シートが、前記フレームの周囲に固定されるように構成されていることを特徴とするシステム。
【請求項４】
請求項２に記載のシステムであって、前記複数の照明装置の少なくとも１つが、前記フレームの内側面に配置されていることを特徴とするシステム。
【請求項５】
請求項２に記載のシステムであって、前記複数の照明装置の少なくとも１つが、前記フレームの外側面に配置されていることを特徴とするシステム。
【請求項６】
請求項１に記載のシステムであって、前記シートが、バッグを形成するように構成されていることを特徴とするシステム。
【請求項７】
請求項１に記載のシステムであって、前記シートが、透明または半透明の材料を備えることを特徴とするシステム。
【請求項８】
請求項１に記載のシステムであって、前記シートが、プラスチックを含むことを特徴とするシステム。
【請求項９】
請求項１に記載のシステムであって、前記複数の照明装置のそれぞれが、赤色光を発することを特徴とするシステム。
【請求項１０】
請求項１に記載のシステムであって、前記複数の照明装置のそれぞれが、管状であることを特徴とするシステム。
【請求項１１】
請求項１に記載のシステムであって、前記複数の照明装置のそれぞれが、グロースティックであることを特徴とするシステム。
【請求項１２】
請求項１に記載のシステムであって、前記複数の照明装置のそれぞれが、少なくとも１つのＬＥＤを備えることを特徴とするシステム。
【請求項１３】
請求項１２に記載のシステムであって、前記複数の照明装置を起動および停止するためのスイッチをさらに備えることを特徴とするシステム。
【請求項１４】
請求項１に記載のシステムであって、前記照明装置のそれぞれが、前記手術用足ペダルに取り外し可能に取り付けられることを特徴とするシステム。
【請求項１５】
請求項１４に記載のシステムであって、前記複数の照明装置のそれぞれが、接着剤を使用して前記手術用足ペダルに固定されることを特徴とするシステム。
【請求項１６】
請求項１４に記載のシステムであって、前記複数の照明装置を前記手術用足ペダルに取り外し可能に取り付けることができるように、前記複数の照明装置のそれぞれが、クリップに取り付けられることを特徴とするシステム。
【請求項１７】
請求項１に記載のシステムであって、前記複数の照明装置のそれぞれが、前記シートに固定されることを特徴とするシステム。
【請求項１８】
請求項１７に記載のシステムであって、前記複数の照明装置のそれぞれが、接着剤を使用して前記シートに固定されることを特徴とするシステム。
【請求項１９】
請求項１に記載のシステムであって、前記シートが、接着剤を使用して前記手術用足ペダルに固定されることを特徴とするシステム。
【請求項２０】
請求項１に記載のシステムであって、前記シートが、ワイヤを使用して前記手術用足ペダルに固定されることを特徴とするシステム。
【請求項２１】
請求項１に記載のシステムであって、前記摩擦部分が、着脱可能な粘着材であることを特徴とするシステム。
【請求項２２】
請求項１に記載のシステムであって、前記複数の照明装置のそれぞれが、前記少なくとも１つの足ペダルのそれぞれの上面より上の高さに位置付けられることを特徴とするシステム。
【請求項２３】
照明付き保護被覆であって、
手術用足ペダルを受け入れるように構成されたフレームであって、
底壁と、
前記底壁の対向する側部側から上方へ延びる第１の壁および第２の壁と、
前記第１の壁と前記第２の壁との間に、前記底壁の側部に沿って延びる第３の壁と
を備えるフレームと、
複数の照明装置であって、前記複数の照明装置の１つは、前記フレームの前記第１の壁、前記第２の壁、および前記第３の壁のそれぞれに取り付けられる、複数の照明装置と、
外科的処置の間に生じる破壊屑からの保護を提供するために、前記フレームおよび前記複数の照明装置を被覆するように構成されたシートであって、
前記複数の照明装置から照らされる光が前記シートの外部から見えるように、光学的に透過性を有する材料であって、前記手術用足ペダルに実質的に適合するのに十分な可撓性を有する、光学的に透過性を有する材料と、
前記シートが前記手術用足ペダル上に配置されているときに、前記手術用足ペダルの底面に隣接するように、前記シート上に配置された摩擦部分であって、前記手術用足ペダルが床または他の表面に対して滑ることを防止するように構成されている摩擦部分と、
を備えるシートとを備えることを特徴とする、照明付き保護被覆。
【請求項２４】
請求項２３に記載の照明付き保護被覆であって、前記シートが、前記手術用足ペダルに固定されるように構成されていることを特徴とする照明付き保護被覆。
【請求項２５】
請求項２４に記載の照明付き保護被覆であって、前記シートが、接着剤を使用して前記手術用足ペダルに固定されるように構成されていることを特徴とする照明付き保護被覆。
【請求項２６】
請求項２４に記載の照明付き保護被覆であって、前記シートが、ワイヤを使用して前記手術用足ペダルに固定されるように構成されていることを特徴とする照明付き保護被覆。
【請求項２７】
請求項２３に記載の照明付き保護被覆であって、前記複数の照明装置のそれぞれが、前記フレームの内側面に配置されていることを特徴とする照明付き保護被覆。
【請求項２８】
請求項２３に記載の照明付き保護被覆であって、前記複数の照明装置のそれぞれが、前記フレームの外側面に配置されていることを特徴とする照明付き保護被覆。
【請求項２９】
請求項２３に記載の照明付き保護被覆であって、前記複数の照明装置のそれぞれが、前記フレームの前記底壁より上に配置されていることを特徴とする照明付き保護被覆。
【請求項３０】
請求項２３に記載の照明付き保護被覆であって、前記シートが、バッグを形成するように構成されていることを特徴とする照明付き保護被覆。
【請求項３１】
請求項２３に記載の照明付き保護被覆であって、前記シートが、透明または半透明の材料を備えることを特徴とする照明付き保護被覆。
【請求項３２】
請求項２３に記載の照明付き保護被覆であって、前記シートが、プラスチックを含むことを特徴とする照明付き保護被覆。
【請求項３３】
請求項２３に記載の照明付き保護被覆であって、前記複数の照明装置のそれぞれが、赤色光を発することを特徴とする照明付き保護被覆。
【請求項３４】
請求項２３に記載の照明付き保護被覆であって、前記複数の照明装置のそれぞれが、管状であることを特徴とする照明付き保護被覆。
【請求項３５】
請求項２３に記載の照明付き保護被覆であって、前記複数の照明装置のそれぞれが、グロースティックであることを特徴とする照明付き保護被覆。
【請求項３６】
請求項２３に記載の照明付き保護被覆であって、前記複数の照明装置のそれぞれが、少なくとも１つのＬＥＤを備えることを特徴とする照明付き保護被覆。
【請求項３７】
請求項３６に記載の照明付き保護被覆であって、前記複数の照明装置を起動および停止するためのスイッチをさら備えることを特徴とする照明付き保護被覆。
【請求項３８】
請求項２３に記載の照明付き保護被覆であって、前記複数の照明装置のそれぞれが、接着剤を使用して前記フレームに取り付けられることを特徴とする照明付き保護被覆。
【請求項３９】
請求項２３に記載の照明付き保護被覆であって、前記複数の照明装置のそれぞれが、前記複数の照明装置を前記フレームに取り外し可能に取り付けるように構成されたクリップに取り付けられることを特徴とする照明付き保護被覆。
【請求項４０】
請求項２３に記載の照明付き保護被覆であって、前記摩擦部分が、着脱可能な接着剤であることを特徴とする照明付き保護被覆。
【請求項４１】
手術用足ペダルを照明する方法であって、
複数の照明装置を前記手術用足ペダルに取り付けることであって、前記手術用足ペダルは、
少なくとも１つの足ペダルであって、各足ペダルは、初期構成から押し下げられた構成に移行するように構成されており、各足ペダルは、前記押し下げられた構成で前記手術用足ペダルの機能を起動させるように構成されている、少なくとも１つの足ペダルと、
上部縁と、
外科的処置の間、前記上部縁よりユーザの近くにある底部縁と、
前記上部縁と前記底部縁との間に延びる１対の側部縁と、
上面と、
前記外科的処置の間、床または他の表面上に配置される下面とを備え、
前記複数の照明装置が、前記手術用足ペダルに取り付けられたときに、前記手術用足ペダルの前記上部縁および前記側部縁のそれぞれの長さの少なくとも大半を取り囲む、複数の照明装置を前記手術用足ペダルに取り付けることと、
シートで前記手術用足ペダルの前記上面および前記下面と、前記複数の照明装置とを取り囲むことであって、前記シートは、前記手術用足ペダルを使用する間に生じる水分および他の破壊屑から前記手術用足ペダルを保護するように構成されており、前記シートは、
前記複数の照明装置から照らされる光が前記シートの外部から見えるように、光学的に透過性を有する材料であって、前記手術用足ペダルの形状に実質的に適合するのに十分な可撓性を有する、光学的に透過性を有する材料と、
前記外科的処置の間に前記手術用足ペダルが表面に当たって滑ることを防止するように構成された摩擦面であって、前記シートが前記手術用足ペダルを取り囲んでいるときに手術用足ペダルの前記下面に隣接している摩擦面とを備える、
シートで前記手術用足ペダルの前記上面および前記下面と、前記複数の照明装置とを取り囲むことと、
前記シートを前記手術用足ペダルに固定することと、
前記外科的処置の後、前記シートおよび前記複数の照明装置を取り外すこととを含むことを特徴とする方法。
【請求項４２】
請求項４１に記載の方法であって、前記複数の照明装置を前記手術用足ペダルに取り付けることが、前記複数の照明装置を前記手術用足ペダルにクリップ留めすることを含むことを特徴とする方法。
【請求項４３】
請求項４１に記載の方法であって、前記複数の照明装置を前記手術用足ペダルに取り付けることが、前記複数の照明装置を前記手術用足ペダルに接着することを含むことを特徴とする方法。
【請求項４４】
請求項４１から４３のいずれか１項に記載の方法であって、前記シートを前記手術用足ペダルに固定することが、前記シートを前記手術用足ペダルの一部の周囲で縛ることを含むことを特徴とする方法。
【請求項４５】
請求項４１から４３のいずれか１項に記載の方法であって、前記シートを前記手術用足ペダルに固定することが、前記シートを前記手術用足ペダルに固定するためにワイヤを使用することを含むことを特徴とする方法。
【請求項４６】
請求項４１から４３のいずれか１項に記載の方法であって、前記シートを前記手術用足ペダルに固定することが、前記シートを前記手術用足ペダルに接着することを含むことを特徴とする方法。
【請求項４７】
手術用足ペダルを照明する方法であって、
底壁と、
前記底壁の対向する側部側から上方へ延びる第１の壁および第２の壁と、
前記第１の壁と前記第２の壁との間に、前記底壁の側部に沿って延びる第３の壁と
を備えるフレームに、複数の照明装置を取り付けることと、
前記第１の壁、前記第２の壁、および前記第３の壁が前記手術用足ペダルを取り囲むように、前記手術用足ペダルを前記フレームの中に配置することであって、前記手術用足ペダルは、
少なくとも１つの足ペダルであって、各足ペダルは、初期構成から押し下げられた構成に移行するように構成されており、各足ペダルは、前記押し下げられた構成で前記手術用足ペダルの機能を起動させるように構成されている、少なくとも１つの足ペダルと、
上部縁と、
外科的処置の間、前記上部縁よりユーザの近くにある底部縁と、
前記上部縁と前記底部縁との間に延びる１対の側部縁と、
上面と、
前記外科的処置の間、床または他の表面上に配置される下面とを備え、
前記複数の照明装置が、前記手術用足ペダルに取り付けられたときに、前記手術用足ペダルの前記上部縁および前記側部縁それぞれの長さの少なくとも大半を取り囲む、前記手術用足ペダルを前記フレームの中に配置することと、
シートで前記手術用足ペダルの前記上面および前記下面と、前記複数の照明装置とを取り囲むことであって、前記シートは、前記手術用足ペダルを使用する間に生じる水分および他の破壊屑から前記手術用足ペダルを保護するように構成されており、前記シートは、
前記複数の照明装置から照らされる光が前記シートの外部から見えるように、光学的に透過性を有する材料であって、前記手術用足ペダルの形状に実質的に適合するのに十分な可撓性を有する、光学的に透過性を有する材料と、
前記外科的処置の間に前記手術用足ペダルが表面に当たって滑ることを防止するように構成された摩擦面であって、前記シートが前記手術用足ペダルを取り囲んでいるときに手術用足ペダルの前記下面に隣接している摩擦面と
を備えるシートで前記手術用足ペダルの前記上面および前記下面と、前記複数の照明装置とを取り囲むことと、
前記シートを前記手術用足ペダルに固定することと、
前記外科的処置の後、前記シートおよび前記複数の照明装置を取り外すこととを含むことを特徴とする方法。
【請求項４８】
請求項４７に記載の方法であって、前記複数の照明装置を前記フレームに取り付けることが、前記複数の照明装置を前記フレームにクリップ留めすることを含むことを特徴とする方法。
【請求項４９】
請求項４７に記載の方法であって、前記複数の照明装置を前記フレームに取り付けることが、前記複数の照明装置を前記フレームに接着することを含むことを特徴とする方法。
【請求項５０】
請求項４７に記載の方法であって、前記複数の照明装置を前記フレームに取り付けることが、前記複数の照明装置を前記フレームの内面に取り付けることを含むことを特徴とする方法。
【請求項５１】
請求項４７に記載の方法であって、前記複数の照明装置を前記フレームに取り付けることが、前記複数の照明装置を前記フレームの外面に取り付けることを含むことを特徴とする方法。
【請求項５２】
請求項４７に記載の方法であって、前記複数の照明装置を前記フレームに取り付けることが、前記複数の照明装置の１つを前記フレームの前記第１の壁、前記第２の壁、および前記第３の壁のそれぞれに取り付けることを含むことを特徴とする方法。
【請求項５３】
請求項４７から５２のいずれか１項に記載の方法であって、前記シートを前記手術用足ペダルに固定することが、前記シートを前記手術用足ペダルの一部の周囲で縛ることを含むことを特徴とする方法。
【請求項５４】
請求項４７から５２のいずれか１項に記載の方法であって、前記シートを前記手術用足ペダルに固定することが、前記シートを前記手術用足ペダルに固定するためにワイヤを使用することを含むことを特徴とする方法。
【請求項５５】
請求項４７から５２のいずれか１項に記載の方法であって、前記シートを前記手術用足ペダルに固定することが、前記シートを前記手術用足ペダルに接着することを含むことを特徴とする方法。
【発明の詳細な説明】
【技術分野】
【０００１】
本開示は、手術装置と共に使用することができる照明付き保護被覆に関する。
【背景技術】
【０００２】
＜任意の優先権出願文献の援用＞
本出願は、２０１４年１１月２１日に出願された米国仮特許出願第６２／０８３０９８号、名称「ＦＯＯＴ  ＰＥＤＡＬ  ＬＩＧＨＴＳ」に対する優先権を主張し、同仮特許出願全体を引用して任意の目的で本出願に援用する。
【０００３】
＜背景技術＞
手術装置は、外科的処置の間に手術室で使用される。手術装置は足ペダルを含むことがあり、足ペダルは、患者の下方の床に設置されることが多く、押し下げて、手術装置を起動および作動させることができる。
【発明の概要】
【課題を解決するための手段】
【０００４】
本開示の特定の態様は、手術装置用の照明付き保護被覆、例えば、手術の際に手術室で使用することができる足起動型の手術装置を対象とする。
【０００５】
外科的処置の間、外科医は、手術の間設備装置の多くの部分の１つを作動させるための異なる型の足ペダルを有する場合がある。一例として、泌尿器科では、第１の足ペダルを使用して、結石を破壊したり腫瘍を治療したりするためにレーザを作動させ、第２の足ペダルを使用して、前立腺腫瘍や膀胱腫瘍を切り取るために電気焼灼を実行し、第３の足ペダルを使用してＣアームを操作し、第４の足ペダルを使用して超音波砕石術装置を作動させる場合がある。これらのペダルはそれぞれ、手術台上の患者の下方の床に設置される。
【０００６】
その上、内視鏡検査、腹腔鏡検査、およびロボット装置を伴うような多くの外科的処置は、暗い環境を必要とする。
【０００７】
このような暗い環境および足ペダルの場所は、適切な足ペダルの場所を容易にかつ適切につきとめることができないことで、間違ったペダルを押し下げて、間違った装置が起動される可能性があることから、人的過誤が生じる可能性のある状況を作り出す。間違った足ペダルを作動させることで、結果的に患者および外科医が大きく傷つけられる可能性がある。その上、暗い環境は、外科医が足ペダルの場所をつきとめることを難しくする可能性があり、このために、足ペダルを踏みそこなったり、足ペダルを蹴ったりする場合がある。
【０００８】
外科医の過誤を減らすため、足ペダルには、使用すべき適切な足ペダルを外科医が容易に識別することを可能にする照明付き保護カバーを設けることができる。照明付き保護カバーは、外科的処置の間に生じる湿損ならびに破壊屑から足ペダルを保護することもできる。いくつかの例では、足ペダルは、外科医が各ペダルの目的、ならびに足の適切な配置を確認するのを助けるために色分けすることができる。いくつかの例では、足ペダルは、多くの異なる作動器（例えばペダル、ボタンなど）を有する場合がある。照明付き保護カバーは、外科医が異なる作動器のそれぞれの場所を識別するのを助けることができる。
【０００９】
外科医が、手術室で使用される任意の手術装置に合わせて照明付き保護カバーを容易に適応することができるように、照明装置および保護カバーは、別々に取り付けることができる。さらに、照明装置および／または保護カバーは、使い捨てであることができ、どのような大きさまたは形状の足ペダルにおいても使用されるように構成され得る。使い捨てであることは、清浄な外科環境を維持するためには重要である。
【００１０】
いくつかの例では、照明付き保護カバーは、足ペダルに追加的な保護を提供すると共に足ペダルを高い位置で明るくするためのフレームをさらに含むことができる。照明付き保護カバーは、被覆した足ペダルが手術室の表面に当たって滑ることを防止するために、取り付け可能な摩擦面をさらに含むことができる。
【００１１】
各種実施形態は、例証目的で添付図面に描写されており、それらの実施形態は、実施形態の範囲を制限するものとして解釈されるべきではない。その上、異なる開示された実施形態のさまざまな特徴は、追加的な実施形態を形成するために組み合わせることができ、そのような追加的な実施形態は、本開示の一部である。
【図面の簡単な説明】
【００１２】
【図１Ａ】単一の足ペダルを備えた足起動型手術装置用の照明付き保護被覆の実施形態を示す図である。
【図１Ｂ】単一の足ペダルを備えた足起動型手術装置用の照明付き保護被覆の実施形態を示す図である。
【図２Ａ】２つの足ペダルを備えた足起動型手術装置用の照明付き保護被覆の実施形態を示す図である。
【図２Ｂ】２つの足ペダルを備えた足起動型手術装置用の照明付き保護被覆の実施形態を示す図である。
【図３Ａ】３つの足ペダルを備えた足起動型手術装置用の照明付き保護被覆の実施形態を示す図である。
【図３Ｂ】３つの足ペダルを備えた足起動型手術装置用の照明付き保護被覆の実施形態を示す図である。
【図４Ａ】暗い環境において起動される図１Ａ〜図１Ｂ、図２Ａ〜図２Ｂ、および図３Ａ〜図３Ｂの照明付き保護被覆を示す図である。
【図４Ｂ】暗い環境において起動される図１Ａ〜図１Ｂ、図２Ａ〜図２Ｂ、および図３Ａ〜図３Ｂの照明付き保護被覆を示す図である。
【図４Ｃ】暗い環境において起動される図１Ａ〜図１Ｂ、図２Ａ〜図２Ｂ、および図３Ａ〜図３Ｂの照明付き保護被覆を示す図である。
【図５Ａ】照明付き保護被覆と共に使用することができる保護フレームの実施形態を示す図であり、保護フレームが、足起動型の手術装置の周りに配置されており、照明装置を多くの異なる場所に位置付けることができる。
【図５Ｂ】照明付き保護被覆と共に使用することができる保護フレームの実施形態を示す図であり、保護フレームが、足起動型の手術装置の周りに配置されており、照明装置を多くの異なる場所に位置付けることができる。
【図５Ｃ】照明付き保護被覆と共に使用することができる保護フレームの実施形態を示す図であり、保護フレームが、足起動型の手術装置の周りに配置されており、照明装置を多くの異なる場所に位置付けることができる。
【図５Ｄ】照明付き保護被覆と共に使用することができる保護フレームの実施形態を示す図であり、保護フレームが、足起動型の手術装置の周りに配置されており、照明装置を多くの異なる場所に位置付けることができる。
【図５Ｅ】照明付き保護被覆と共に使用することができる保護フレームの実施形態を示す図であり、保護フレームが、足起動型の手術装置の周りに配置されており、照明装置を多くの異なる場所に位置付けることができる。
【図５Ｆ】照明付き保護被覆と共に使用することができる保護フレームの実施形態を示す図であり、保護フレームが、足起動型の手術装置の周りに配置されており、照明装置を多くの異なる場所に位置付けることができる。
【図５Ｇ】照明付き保護被覆と共に使用することができる保護フレームの実施形態を示す図であり、保護フレームが、足起動型の手術装置の周りに配置されており、照明装置を多くの異なる場所に位置付けることができる。
【図５Ｈ】照明付き保護被覆と共に使用することができる保護フレームの実施形態を示す図であり、保護フレームが、足起動型の手術装置の周りに配置されており、照明装置を多くの異なる場所に位置付けることができる。
【図６Ａ】複数の照明装置が取り付けられた保護フレームの別の実施形態を示す図である。
【図６Ｂ】複数の照明装置が取り付けられた保護フレームの別の実施形態を示す図である。
【図６Ｃ】複数の照明装置が取り付けられた保護フレームの別の実施形態を示す図である。
【図７】粘着性の摩擦面の実施形態を示す図である。
【発明を実施するための形態】
【００１３】
さまざまな照明付き装置カバー、組立体、および方法は、１つ以上の所望の改良を達成するために採用され得るさまざまな例を例示するために開示される。提示する目的で、特定の実施形態は、足ペダルを備えた手術装置に関して開示されるが、開示される発明は、他の文脈においても同様に使用することができる。実際には、説明される実施形態は例にすぎず、提示される開示全体、および本開示のさまざまな態様および特徴を制限するようには意図されていない。本明細書において説明される一般的原理は、開示の精神と範囲から逸脱しない限り、本明細書で論じられる実施形態以外の実施形態および応用例にも適用され得る。本開示は、本明細書において開示または提案される原則および特徴と一致する最も広い範囲が付与されなければならない。
【００１４】
特定の態様、利点、および特徴が本明細書では説明されているが、任意の特有の実施形態が、そうした態様、利点、および特徴のいずれかまたは全部を含むまたは達成する必要はない。例えば、いくつかの実施形態は、本明細書に説明される利点を達成していない場合があるが、代わりに他の利点を達成している場合がある。必然的なまたは決定的に重要な特徴、構成要素、またはステップはない。
【００１５】
＜概要＞
本開示は、足ペダルなどの手術装置を覆って設置され得る照明付き保護カバーを対象とする。保護カバーは、シートと、複数の照明装置とを含むことができる。保護シートは、外科的処置から生じる水分または他の破壊屑による損傷から足ペダルを保護するために、足ペダルの周囲に固定することができる。さらに、保護シートは、足ペダルが容易に見えるように、光学的に透過性を有することができる。
【００１６】
照明付き保護カバーは、外科医が、手術の間容易に適切な足ペダルを識別して、それに到達することができるようにする１つ以上の照明装置を含むことができる。いくつかの構成では、照明付き保護カバーおよび／または１つ以上の照明装置は、特定の手術用足ペダル装置用にカスタマイズすることができる。他の構成では、「万能サイズ」キットがある場合もあり、照明付き保護カバーおよび照明装置を、いかなる数の異なる手術用足ペダル設計に対しても使用することができる。どちらの構成においても、複数の照明付き装置は、手術用足ペダルおよび／または保護シートに取り外し可能にまたは永久的に取り付けることができる。さらに後述するように、システムは、１つ以上の照明装置に取り付けることができるまたは１つ以上の照明装置を保持することができる、手術用足ペダルを受け入れるための別個のフレーム構造を含むことができる。フレームは、足ペダルに追加的な保護を提供するように、または照明装置を追加的な高さおよび／もしくは角度で設置することができるように構成され得る。
【００１７】
＜保護カバーおよび照明装置＞
照明付き保護カバーについての以下の説明は、足ペダルに関して論じられるが、本開示は、足ペダルを含む手術装置に制限することは意図されていない。説明される照明付き保護カバーは、手術室で使用される任意の数の手術装置と共に使用することができる。
【００１８】
図１Ａ〜図１Ｂ、図２Ａ〜図２Ｂ、および図３Ａ〜図３Ｂは、足ペダルを備えた手術装置のさまざまな例を被覆している照明付き保護カバーの実施形態を図示する。後で詳述するように、照明付き保護カバーは、保護シートおよび複数の照明装置を含むことができる。外科医が保護シートを通して足ペダルの場所を見て認知できるべく、照明装置が足ペダルを明るくすることができるように、保護シートは透明または半透明にすることができる。図１Ｂ、図２Ｂ、および図２Ｃに示されるように、照明装置の輝度は、足ペダルの場所が薄暗い点灯でも見えるようにすることを可能にする。
【００１９】
図１Ａは、第１のペダル１３２を備えた手術装置１３０の周りに配設された照明付き保護カバー１００を例示する。上記したように、照明付き保護カバー１００は、保護シート１１０および手術装置１３０の足ペダル１３２の周囲に設置された複数の照明装置１２０を含むことができる。
【００２０】
保護シート１１０は、平らなシートまたはバッグの形をしている場合がある。上記の通り、いくつかの構成では、保護シート１１０は、特定の手術用足ペダル設計用にカスタマイズすることができる。他の構成では、保護シート１１０は、任意の大きさの手術装置１３０に合うように十分な大きさを有することができ、外科医が保護シート１１０の大きさを適切に変更することができるように構成され得る。例えば、保護シート１１０は、２０インチ（５０．８センチメートル）×２０インチ（５０．８センチメートル）の大きさを有することができる。保護シート１１０は、手術装置１３０の足ペダル１３２の表面をくるむように、または手術装置１３０の足ペダル１３２の表面に適合するように、手術装置１３０の周囲に巻き付けるかまたは固定することができる。保護シート１１０は、手術装置１３０の周りに保護被覆を提供するが、手術装置１３０の足ペダル１３２の機能を妨げることはない。
【００２１】
保護シート１１０は、外科的処置の間に生じる水分および他の破壊屑から手術装置１３０を保護するために、手術装置１３０の表面の周りに固定され得る。例えば、保護シート１１０は、手術装置１３０の周りで保護シート１１０の端部を縛るおよび／または結ぶことによって固定することができる。さらにまたは代わりに、保護シート１１０は、接着剤、紐、ワイヤ、輪ゴムなどを用いて固定することができる。
【００２２】
保護シート１１０は、手術装置１３０および足ペダル１３２が見えるようにする透明または半透明の材料から作られることができる。保護シート１１０は、プラスチックでできていてもよい。その上、保護シート１１０は、使用後その都度使い捨て可能であり、容易に廃棄することができる。使い捨て保護シート１１０は、外科医が、使い捨て保護シート１１０を安価に購入することを可能にすることができる。その上、同じ使い捨て保護シート１１０を任意の形状または大きさの手術装置に適応させることができるので、保護シート１１０の使い捨て可能で、カスタマイズ可能な構成は、さらに経費を削減し得る。
【００２３】
照明付き保護カバー１００は、手術装置１３０および足ペダル１３２の場所を明るくする１つ以上の照明装置１２０を含むことができる。照明装置１２０は、手術装置１３０の足ペダル１３２と隣接する少なくとも１つの側面に取り付けられる。図１Ａに例示するように、照明装置１２０が、手術装置１３０の一端の表面上、手術装置１３０の左側、および手術装置１３０の右側に設置されるように、複数の手術装置１３０のそれぞれを取り付けることができる。このことにより、医師は、照明装置１２０に基づいて足ペダル１３２の位置をつきとめることが可能になり得る。
【００２４】
さらに、照明装置１２０のそれぞれを設置する高さは、外科医が足ペダル１３２の場所をつきとめて、外科医の足の位置をより良く調整することができるように変えることができる。照明装置１２０は、手術装置１３０の基部、手術装置１３０の基部と上面との間、または手術装置１３０の上面より上などの複数の高さに設置することができる。
【００２５】
複数の照明装置１２０は、多くの方法で、取り外し可能にまたは永久的に固定することができる。いくつかの例では、複数の照明装置１２０は、手術装置１３０に直接取り付けることができる。いくつかの実施形態では、複数の照明装置１２０は、保護シート１１０の内側面または外側面に固定することができる。
【００２６】
複数の照明装置１２０は、接着剤を使用する、または手術装置１３０または保護シート１１０と係合するように構成され得る別個の構成要素（例えば磁石、クリップ、ワイヤ、またはその他）を用いて照明装置１２０のそれぞれを取り付けるなど、複数の方法で固定することができる。他の例では、保護シート１１０は、照明装置１２０を保持するために１つ以上のポケットまたは他の特徴を含むことができる。
【００２７】
照明装置１２０は、さまざまな形状および大きさで供給され得る。いくつかの実施形態では、照明装置１２０は、管状である。照明装置１２０は、堅固であってもよく、任意の長さであり得る。例えば、照明装置１２０が、手術装置の側面の全長または一部だけ（例えば、手術装置１３０の側面の実質的な全長、手術装置１３０の側面の全長のほとんど、手術装置１３０の側面の全長の約半分、手術装置１３０の側面の全長の半分未満、または手術装置１３０の側面に沿って断続的）にわたることができるように、照明装置１２０は、両端を突き合せて取り付けることができる。照明装置１２０は、屈曲可能でもあり得、および／または順応性を有することもできる。例えば、単一の照明装置１２０は、手術装置１３０の一部周辺に巻き付くように曲げることができる。
【００２８】
照明装置１２０は、１度だけ起動させるように、使い捨て可能である場合もある。例えば、構造体は、化学発光によって光を作り出すことができ、外側被覆は堅固であるかまたは可撓性を有する。いくつかの例では、照明装置１２０は、グロースティックである。使い捨て照明装置１２０は、外科医が、使い捨て照明装置１２０を安価に購入することを可能にすることができる。その上、同じ使い捨て照明装置１２０を任意の形状または大きさの手術装置に取り付けることができるので、複数の使い捨て照明装置１２０の使い捨て可能でカスタマイズ可能な性質は、さらに経費を削減し得る。
【００２９】
照明装置１２０は、非使い捨て可能である場合もある。例えば、各照明装置１２０は、１つ以上のＬＥＤから構成され得る。照明装置１２０は、電池式であってもよく、または電力を供給するための電気コンセントを必要としてもよい。照明装置１２０は、照明装置１２０を起動させるためのオン／オフスイッチを含むことができる。
【００３０】
照明装置１２０は、赤色光を発するように構成され得る。赤色光は、低い波長を有し、暗い環境において目に混乱を生じさせにくい。他の例では、照明装置１２０は、赤、青、緑、黄、紫、オレンジ、ピンク等などの任意のさまざまな色で供給され得る。複数の手術装置または足ペダルが使用される場合には、照明装置１２０の複数の色を使用して、外科医が照明装置１２０のそれぞれの目的を識別するのを助けることができる。
【００３１】
図２Ａおよび図３Ａは、複数の足ペダルを含む手術装置２３０、３３０の周りに配設された照明付き保護カバー２００、３００を示す。照明付き保護カバー２００、３００は、多くの点でシステム１００と似ているか、または同一である。したがって、照明付き保護カバー２００、３００の構成要素を識別するために用いられる数字は、照明付き保護カバー２００、３００の類似の特徴を識別するのに１００ずつ増分されている。この番号付けの規則は、概ね残りの図にも適用される。本明細書の任意の実施形態で開示されるどのような構成要素またはステップも、他の実施形態で使用することができる。
【００３２】
照明付き保護カバー１００に似た照明付き保護カバー２００は、保護シート２１０および複数の照明装置２２０を含む。照明付き保護カバー２００は、足ペダル２３２および足ペダル２３４を含む手術装置２３０の周りに配設される。複数の照明装置２２０はそれぞれ、手術装置２３０の輪郭に枠を付けるように、手術装置２３０周辺に取り付けられる。図２Ｂに示すように、複数の照明装置２２０を設置することで、外科医が手術装置２３０上の足ペダル２３２および足ペダル２３４の場所を認知することが可能になり得る。
【００３３】
照明装置２２０を設置することで、さらに、足ペダルのいずれかと係合させるために足を置くべき場所の基準となるフレームを外科医に提供することができる。例えば、外科医は、複数の照明装置２２０の場所を利用して、自分の足を最も右の照明装置２２０により近づけて置くことで、外科医が、右側に位置する足ペダル２３２を起動させることになることを知ることができる。同様に、外科医は、自分の足を最も左の照明装置２２０により近づけて置くことで、外科医が、左側に位置する足ペダル２３４を起動させることになることを知る。照明装置２２０は、外科医が、足ペダル２３２、２３４のそれぞれの場所を容易に識別することができるように、足ペダル２３２、２３４のそれぞれの間に設置することもできる。
【００３４】
同様に、図３Ａは、照明付き保護カバー３００によって、外科医が、複数のペダルを備えた手術装置３３０を識別して、容易に場所をつきとめることが可能になり得るやり方の例を示す。照明付き保護カバー３００は、手術装置３３０の周りに配設された保護シート３１０および複数の照明装置３２０を含む。手術装置３３０の足ペダルの数が理由で、手術装置３３０は、図１Ａおよび図２Ａに図示された手術装置より幅広である。手術装置３３０に枠を付けるために、照明付き保護カバー３００は、追加的な照明装置３２０を含んで、手術装置３３０の前端に枠を付ける／一列に並べることができる。いくつかの例では、複数の照明装置３２０は、端から端まで一列に並ぶように、手術装置３３０に取り付けられ得る。図３Ａに図示される手術装置３３０では、手術装置３３０は、足ペダル３３２、足ペダル３３４、および足ペダル３３６を含む。
【００３５】
図２Ｂと同様に、図３Ｂは、暗い環境で手術装置３３０を照明する照明付き保護カバー３００を例示する。いくつかの例では、複数の照明装置３２０が設置されているので、外科医は、複数の照明装置３２０で枠を付けられた手術装置３３０の中央に自分の足を置くことによって、最も左の照明装置３２０に近い足ペダル３３２、最も右の照明装置３２０に近い足ペダル３３６、および足ペダル３３４の場所をつきとめることができる。外科医が足ペダル３３２、３３４、３３６のそれぞれの場所を容易に識別することができるように、照明装置３２０を、足ペダル３３２、３３４、３３６のそれぞれの間に設置する場合もある。
【００３６】
照明付き保護カバーは、どのような数の足ペダルを備えた手術装置でも収容するように構成され得る。手術装置の外側面に枠を付けるために複数の照明装置を使用することで、照明装置は、ユーザが足ペダルを認知すること、または自分の足を置いている場所の基準になるフレームを外科医に提供することを可能にし得る。その上、上記の通り、外科医が手術装置の足ペダルのそれぞれの場所をより正確につきとめるのを助けるために、照明装置を、足ペダルのそれぞれの間に設置する場合もある。
【００３７】
図４Ａ〜図４Ｃは、さまざまな異なる大きさの手術装置上の照明付き保護カバーの各種実施形態を例示する。見てわかるように、照明付き保護カバーは、手術装置およびそれらの関連する足ペダルのそれぞれが暗い手術室で容易に識別されることを可能にする。
【００３８】
＜フレーム＞
いくつかの例では、照明付き保護カバーは、フレームをさらに含むことができる。外科的処置の間、手術装置に追加的な保護を提供することができるように、手術装置をフレームの中に設置することができる。さらに、フレームは、手術装置の使用中に手術装置およびフレームが動くのを防止するのに十分な重量を提供することもできる。他の例では、フレームは、複数の照明装置を取り付けるための追加的な表面を提供する場合もある。いくつかの例では、足ペダルの上面がさらに良く照明されるように、フレームが、手術装置に付加的な高さを与えることができる。いくつかの実施形態では、足ペダル周辺の環境が明るくなるように、フレームが照明を含む場合もある。
【００３９】
下記に開示されるフレーム４４０、９４０のそれぞれは、手術装置または別個の構成要素の一部であるように構成することができる。フレーム４４０、９４０は、再使用可能である場合も、または使用後その都度廃棄され得る使い捨て構成要素である場合もある。いくつかの例では、フレームは、安価な可塑材でできている場合もある。
【００４０】
図５Ａ〜図５Ｈは、フレーム４４０の例を示す。図５Ａ〜図５Ｈに示すように、フレームは、上壁、底壁、左壁、右壁、および後壁を含む。いくつかの例では、フレーム４４０の５つの壁が、閉じた容器を形成する。いくつかの例では、上壁、底壁、左壁、および右壁が、フレーム４４０の開口を形成する。フレーム４４０は、照明付き保護カバーに、手術装置の足ペダルをさらに良好に視覚化するために照明装置を設置する追加的な表面を提供することができる。
【００４１】
図５Ａ〜図５Ｃは、フレーム４４０を備えた照明付き保護カバー４００の例を示す。図示するように、手術装置４３０が、フレーム４４０の内側底面に隣接して取り付けられるように、フレーム４４０は、フレーム４４０の中に設置される手術装置４３０を含む。照明付き保護カバー４００の保護シート４１０は、フレーム４４０の外面および内面を被覆するために、照明付き保護カバー４００全体の周囲に巻き付けられる。その上、保護シート４１０は、手術装置４３０を密封しながらも、ユーザがフレーム４４０の開口の中に足を置くことで、手術装置４３０に到達することを可能にしている。図５Ａ〜図５Ｃに示される例では、照明装置４２０は、上壁の内面に設置されている。この照明装置４２０の配置により、フレーム４４０の内部全体を明るくすることができる。図５Ａ〜図５Ｃでは、照明装置４２０の配置により、外科医が、フレーム４４０の中の手術装置４３０の足ペダルを識別することを可能にしており、一方で、フレーム４４０の上面が、照明装置４２０が暗い環境において外科医に混乱を生じさせることを防止している。
【００４２】
図５Ｄは、フレーム４４０を備えた照明付き保護カバー５００の例を示す。照明付き保護カバー５００は、多くの点で照明付き保護カバー４００と似ているか、または同一である。したがって、照明付き保護カバー４００の構成要素を識別するために用いられる数字は、照明付き保護カバー５００のシステムの類似の特徴を識別するのに１００だけ増分されている。この番号付けの規則は、概ね残りの図にも適用される。本明細書の任意の実施形態で開示されるどのような構成要素またはステップも、他の実施形態で使用することができる。照明付き保護カバー５００の照明装置５２０は、フレーム４４０の上壁の外面に取り付けられる。照明装置５２０の配置により、外科医が、フレーム４４０の中に設置された手術装置５３０の場所を識別することを可能にしている。照明装置５２０の高さによって、外科医が、フレーム４４０の内部に適切に到達するように自分の足を配置することが可能になり得る。
【００４３】
図５Ｅ〜図５Ｆは、フレーム４４０を備えた照明付き保護カバー６００を示す。照明付き保護カバー６００の照明装置６２０は、フレーム４４０の開口全体の周辺に位置付けられる。照明装置６２０の配置により、外科医が、フレーム４４０の内部に位置付けられた手術装置６３０に到達するために自分の足を置くべき場所をつきとめることが可能になる。
【００４４】
図５Ｇおよび図５Ｈは、フレーム４４０を備えた照明付き保護カバー７００、８００を図示する。照明付き保護カバー７００および照明付き保護カバー８００の両方において、１対の照明装置７２０、８２０が、フレーム４４０の開口の対向する側部に取り付けられている。照明付き保護カバー７００では、照明装置７２０は、フレーム４４０の開口の左側部および右側部上に設置されている。照明付き保護カバー８００では、照明装置８２０は、フレーム４４０の開口の上端部および下端部に設置されている。複数の照明装置７２０、８２０が配置されることで、外科医がフレーム４４０の内部に位置付けられた手術装置７３０、８３０に到達するために自分の足を置くべき場所に関する基準地点が、外科医に提供される。
【００４５】
図６Ａ〜図６Ｃは、フレーム９４０の別の例を示す。フレーム９４０は、底面９４２、第１の壁９４４、第２の壁９４６、および第３の壁９４８を含む。第１の壁９４４は、上部縁９４４ａおよび底部縁９４４ｂを含む。第２の壁９４６は、上部縁９４６ａおよび底部縁９４６ｂを含む。第３の壁９４８は、上部縁９４８ａおよび底部縁９４８ｂを含む。いくつかの例では、手術装置（例えば足ペダル）は、フレーム９４０の底面９４２に隣接して設置される場合もある。図５Ａ〜図５Ｈに例示されるフレーム４４０のように、照明付き保護カバー用の保護カバーは、フレーム９４０および手術装置の周囲に設置することができる。
【００４６】
いくつかの例では、フレーム９４０の壁（例えば第１の壁９４４、第２の壁９４６、および第３の壁９４８）は、複数の照明装置９２０を設置するために上昇された高さを提供している。いくつかの例では、複数の照明装置９２０は、フレーム９４０の壁の外面または内面に固定される場合もある。図６Ａ〜図６Ｃは、照明装置９２０の設置についての３つの組合せを図示するが、この組合せは、制限的であることは意図されていない。手術装置の照明が、フレーム９４０の中にいっそう上手く設置することができるように、複数の照明装置９２０のそれぞれの高さは変えることができる。いくつかの例では、照明装置９２０は、フレーム９４０の壁（例えば第１の壁９４４、第２の壁９４６、第３の壁９４８）の内面または外面の底部縁９４４ｂ、９４６ｂ、９４８ｂの近くに位置付けることができる。いくつかの例では、照明装置９２０は、フレーム９４０の壁（例えば第１の壁９４４、第２の壁９４６、第３の壁９４８）の内面または外面の上部縁９４４ａ、９４６ａ、９４８ａと底部縁９４４ｂ、９４６ｂ、９４８ｂとの間に位置付けることができる。照明装置９２０は、フレーム９４０の壁（例えば第１の壁９４４、第２の壁９４６、第３の壁９４８）の内面または外面の上部縁９４４ａ、９４６ａ、９４８ａの近くに位置付けることもできる。
【００４７】
上記のように、いくつかの例では、照明装置９２０のそれぞれは、接着剤または別個の構成要素（例えばワイヤ、クリップ、磁石、またはその他）を使用して、フレーム９４０に取り外し可能にまたは永久的に固定することができる。いくつかの例では、フレーム９４０は、複数の照明装置９２０を固定することができる第１の壁９４４、第２の壁９４６、および／または第３の壁９４８の外面および／または内面から延びる保持構成要素（例えば照明装置を保持するための１つ以上の突起、照明装置を受け入れるための開口またはポケットなど）を含む。
【００４８】
上で開示したフレーム４４０、９４０のそれぞれは、どのような大きさの手術装置でも収容するように構成され得る。いくつかの例では、フレーム４４０、９４０は、調整可能である場合もある。例えば、フレーム４４０が、より広いまたはより細い手術装置を収容するために、広げられるまたは縮小されることができるように、フレーム４４０の上壁、底壁、および後壁を構成することができる。同様に、フレーム９４０は、より広いまたはより細い手術装置を収容するために、広げるまたは縮小することが可能な底面９４２および第３の壁９４８を含むことができる。調整可能な壁は、それらが長くなるまたは短くなるために互いに対して摺動するように構成できるように、機械的に連結された２つの壁で構築される場合もある。
【００４９】
＜摩擦面＞
いくつかの例では、手術装置を覆う照明付き保護カバーを設置することで、手術装置の底部を床に対して滑りやすくさせる可能性がある。使用中に手術装置が滑るおよび／または動くことを防止するために、摩擦面１０５０を備えた粘着材を、照明付き保護カバーの保護カバーに取り付けることができる。例えば、摩擦面１０５０は、手術装置の基部の保護カバー上に設置することができる。照明付き保護で被覆された手術装置が、使用中に静止した状態を維持するように、摩擦面１０５０は、滑りやすさを低下させることができる。
【００５０】
＜使用方法＞
上で説明した照明付き保護カバーのいずれも、多くの方法で手術装置に取り付けることができる。上述の照明付き装置は、上で説明した取付機構のいずれかを使用して手術装置のペダルに取り付けることができる。次いで、保護カバーが、手術装置を覆うように配置されて、適所に固定され得る。
【００５１】
照明付き装置は、保護カバーに直接取り付けることもできる。次いで、取り付けられた照明付き装置を備えた保護カバーが、手術装置を覆うように配置され得る。
【００５２】
いくつかの例では、最初に、照明付き装置が、フレームなどの構造体に取り付けられる。手術装置がフレームの中に設置され、保護カバーが、フレームを覆うように配置されてフレームの周りで固定される。
【００５３】
それぞれの上述の例では、複数の照明付き装置、保護カバー、および／または薄膜は、使用と使用との間、および／または外科的処置と外科的処置との間に取り外し可能であり得る。
【００５４】
＜代替構成＞
図示はしていないが、他の実施形態では、照明装置は、手術用足ペダル装置、フレームおよび／または保護シートとは別に固定される場合もある。例えば、照明装置は、照明装置が足ペダルを照明することができるように、患者のベッドの下であって、手術装置の足ペダルの上方に設置することができる。照明装置は、使い捨てである場合も、または再使用可能である場合もある。例えば、照明装置は、電池式ＬＥＤ、化学発光体（例えばグローライト、グロースティック）、または交換することができる交換可能な発光体であり得る。本実施形態では、保護シートは、手術用足ペダル装置の表面の周囲に取り付けられる。足ペダルが依然として外科医から見えるように、保護シートは、透明または半透明であることができる。
【００５５】
あるいは、照明装置は、手術室のさまざまな構造体に取り付けることができる。例えば、照明装置は、手術室台の側面上のレールに取り付けることができ、または表面から出た紐もしくはケーブルから吊るすことができる。照明装置は、磁石または複数のクリップを使用して対象物に取り付けることができる。照明装置は、棒に取り付けられることができ、ブラケットを使用して台の側面から吊り下げることができる。ブラケットは、しばしば、手術室内ですぐに利用できるようになっており、照明装置を、これらのブラケットの１つに滑り込ませることができる。
【００５６】
照明装置（例えばＬＥＤ棒）は、手術用足ペダルを覆うように配置された台またはスタンドの下に設置することができる。照明装置からの光は、台またはスタンドの下の領域を照明するために、下方向に向けられる。照明装置は、台またはスタンドの裏面の縁に沿って並べることができる。台またはスタンドは、何も物がない上面を有することができ、または開放した構造体を有することができる。保護カバーは、手術用足ペダルおよび／または明るくされた台またはスタンドの一部または全部を覆うように設置されることができる。他の例では、照明装置は、台の側部または後部から吊るすことができ、または台の中に埋め込むことができる。いくつかの例では、複数の照明装置を保持するための台は、再使用可能である場合も、または使い捨て可能である場合もある。
【００５７】
照明装置は、照明装置が、プラットフォーム上に設置された手術装置を照明するために、プラットフォームまたはスタンドの表面から垂直に延びるように構成できるように、堅固であることができる。照明装置は、プラットフォームから任意の長さ（例えば３インチ（７．６２センチメートル）〜１０インチ（２５．４センチメートル））だけ延びることができ、手術装置をより良く視覚化するように、複数の異なる構成で角度を付けることができる。いくつかの実施形態では、照明装置は、プラットフォームの左後ろの角部および右後ろの角部から垂直に延びることができ、照明のフレームを提供するために照明装置の２つの棒を接続する追加的な照明付き装置の延長部分を有することができる。いくつかの構成では、プラットフォームまたはスタンドは、適所に手術装置を保持するように構成された複数の隆起領域をスタンドの後部および側部に含むことができる。
【００５８】
照明装置の設置が、外科医が低光量領域内で操作するのを妨げないように、照明装置の設置は、デバイダ（例えばドレープ）の下に含めて、隠すことができる。しかしながら、照明装置は、手術装置および関連する足ペダルが位置付けられるであろう、手術室台真下の領域の床を適切に視覚化するのを助けるのに十分な光を提供するべきである。
【００５９】
＜照明付き保護カバーの使用に関する研究＞
内視鏡処置の間、照明付き足ペダルがペダル起動の速さおよび精度を改善するかどうかを判定するために研究を行った。研究は、米国、カリフォルニア州、ロマリンダのロマリンダ大学医療センターの泌尿器科学科で行われた。
【００６０】
序論／目標：経皮腎切石術（ＰＣＮＬ）のような内視鏡による泌尿器科処置は、一般に、外科用器具を操作するための複数の足ペダルの使用を必要とする。それらの可視性は、微光の手術室（ＯＲ）の状況ではよく見えない可能性がある。この研究の目的は、色分けされた照明が、模擬的な手術の状況において、ペダル起動の速さおよび精度に及ぼす影響を評価することである。
【００６１】
方法：従来通りに照明された手術室の典型的な場所で、Ｃアーム、レーザ、および超音波砕石器（ＵＬ）を使用する模擬ＰＣＮＬ。足ペダルは、被験者の前にある台の下方の３つの異なる位置に設置された。５人の指導医と５人の研修医／研究員が、無作為化された順序で足ペダルを踏んで器具を起動させるように指示された。ペダルの位置および向きは、試験ごとに無作為化された。器具起動までの時間、試みたペダル押圧の回数、失敗した試みの回数、および間違ったペダルを押圧した回数が記録された。合計で３６０回の器具起動が行われた（色分けされたペダル照明のある場合とない場合で、１８種の器具×１０人の被験者）。次いで、各被験者は、足ペダル照明についての被験者の経験および嗜好に関する調査に回答した。データは、マンホイットニーＵ検定、ウィルコクソン符号付きランク、およびｐ＜０．０５で統計的有意性を示すカイ二乗検定を用いて分析された。
【００６２】
結果：照明付きペダルの使用は、全ての器具全体の平均起動時間の減少（６．７３±５．１８ｓ対９．１９±６．６１ｓ、ｐ＜０．０１）ならびに全ての器具別々の平均起動時間の減少（ｃアーム：３．５３±２．０２ｓ対５．２０±３．８７ｓ、ｐ＜０．０１、レーザ：１３．１７±４．１４ｓ対１６．６３±５．３５ｓ、ｐ＜０．０１、ＵＬ：３．５８±１．５１ｓ対５．９９±３．６２ｓ、ｐ＜０．０１）と関連付けられた。照明付きペダルは、試みた全ペダル押圧回数の減少（２７．５±８．７対３４．５±１０．７、ｐ＜０．０１）、および失敗したペダル押圧回数の減少（２．６±３．２対８．６±３．７、ｐ＜０．０１）と関連付けられた。間違ったペダルの押圧回数は照明で減少したが、この調査結果は統計的有意性に達しなかった（０．１±０．３対１．３±２．５、ｐ＝０．０８）。全ての被験者は、照明によってペダルが使いやすくなったこと、および通例の業務での照明付きペダルの使用を推奨したい（ｐ＜０．０１）ことを報告した。１０人中９人（９０％）の被験者は、照明付きペダルを使用したことで間違いが減ったと感じ、能率が向上し、より大きな安心を感じた（それぞれｐ＜０．０１）。
【００６３】
結論：色分けされた照明は、内視鏡による泌尿器科手術中のペダル起動の速さおよび精度を改善した。アンケートは、能率、安全、および有効性の認知が向上し、外科医の満足度が高いことを示した。
【００６４】
＜特定の専門用語＞
「足ペダル」は、当業者に普通の慣習的な意味を与える幅広い用語であり（すなわち、それは特別な意味または特化された意味に限定されない）、手術装置を起動させるために係合され得る、どのような機械的装置（例えばボタン、ペダル、スイッチなど）でも含むが、これに限定されるものではない。
【００６５】
「シート」は、当業者に普通の慣習的な意味を与える幅広い用語であり（すなわち、それは特別な意味または特化された意味に限定されない）、手術装置を被覆して、手術装置を使用する間に生じる水分および他の破壊屑から手術装置を保護するように構成され得るどのような材料でも含むが、これに限定されるものではない。
【００６６】
「照明装置」は、当業者に普通の慣習的な意味を与える幅広い用語であり（すなわち、それは特別な意味または特化された意味に限定されない）、周囲の領域に照明を提供することができるどのような装置でも含むが、これに限定されるものではない。
【００６７】
「上部（ｔｏｐ）」、「底部（ｂｏｔｔｏｍ）」、「水平な（ｈｏｒｉｚｏｎｔａｌ）」、「垂直な（ｖｅｒｔｉｃａｌ）」、「縦方向の（ｌｏｎｇｉｔｕｄｉｎａｌ）」、「横方向の（ｌａｔｅｒａｌ）」、および「端部（ｅｎｄ）」などの、本明細書で使用される方向性についての用語は、図示する実施形態との関係において使われる。しかしながら、本開示は、図示する方向性に限定されるべきではない。実際に、他の方向性も可能であり、本開示の範囲内である。直径または半径などの、本明細書で用いられる円形形状に関する用語は、完全な円形構造物を要求しているわけではないと理解されるべきであり、むしろ、側方から測定され得る断面領域を備えた何らかの適切な構造に適用されるべきである。一般的に形状に関する用語は、参照される構造物の数学的定義に厳密に従う必要はなく、適度に近い近似物である構造物を包含することができる。
【００６８】
「できる（ｃａｎ）」、「できた（ｃｏｕｌｄ）」、「かもしれない（ｍｉｇｈｔ）」、または「可能性がある（ｍａｙ）」などの条件的言語は、特記されない限り、または使用されるような文脈内で理解されない限り、一般的には、特定の実施形態が、特定の特徴、要素、および／またはステップを含む、または含まないことを伝えるように意図されている。したがって、このような条件的言語は、一般に、特徴、要素、および／またはステップが、１つ以上の実施形態でどうしても必要であることを意味するようには意図されていない。
【００６９】
「Ｘ、Ｙ、およびＺの少なくとも１つ」という語句のような連結的な言語は、特記されない限り、項目、用語などが、Ｘ、Ｙ、またはＺのいずれかであり得ることを伝えるのに一般に使用される文脈で理解される。したがって、このような連結的な言語は、一般に、特定の実施形態が、Ｘの少なくとも１つ、Ｙの少なくとも１つ、およびＺの少なくとも１つが存在する必要があることを意味するようには意図されていない。
【００７０】
本明細書で用いられる「およそ（ａｐｐｒｏｘｉｍａｔｅｌｙ）」、「約（ａｂｏｕｔ）」、および「実質的には（ｓｕｂｓｔａｎｔｉａｌｌｙ）」という用語は、同様に、所望の機能を実行する、または所望の結果を達成する表示量に近い量を表す。例えば、いくつかの実施形態では、文脈が表すことができるように、「およそ（ａｐｐｒｏｘｉｍａｔｅｌｙ）」、「約（ａｂｏｕｔ）」、および「実質的には（ｓｕｂｓｔａｎｔｉａｌｌｙ）」という用語は、表示量の１０％以下の範囲内である量を指すことができる。本明細書で用いられる「概略的には（ｇｅｎｅｒａｌｌｙ）」という用語は、大部分が特別の値、量、または特性を含む、またはその傾向がある値、量または特性を表す。
【００７１】
明確に記述されない限り、「ａ」または「ａｎ」などの冠詞は、一般的には、１つ以上の記載された項目を含むと解釈されるべきである。したがって、「〜するように構成された装置」などの語句は、１つ以上の詳述された装置を含むように意図される。このような１つ以上の詳述された装置は、述べられた詳説を実行するようにまとめて構成することもできる。例えば、「詳説Ａ、Ｂ、およびＣを実行するように構成されたプロセッサ」は、詳説ＢおよびＣを実行するように構成された第２のプロセッサと関連して機能する詳説Ａを実行するように構成された第１のプロセッサを含むことができる。
【００７２】
「備えること（ｃｏｍｐｒｉｓｉｎｇ）」、「含むこと（ｉｎｃｌｕｄｉｎｇ）」、「有すること（ｈａｖｉｎｇ）」などの用語は、同義であり、包含的に、制限のない様式で使用され、追加的な要素、特徴、行為、動作などを除外しない。同様に、「いくつかの（ｓｏｍｅ）」、「特定の（ｃｅｒｔａｉｎ）」などの用語も同義であり、制限のない様式で使用される。さらに、「または（ｏｒ）」という用語は、例えば、要素のリストをつなぐために使用される場合には、「または（ｏｒ）」という用語が、リストの中の要素の１つ、いくつか、または全てを意味するように、包括的な感覚で（排他的な感覚ではなく）使用される。
【００７３】
解説的な目的で、本明細書で用いられる「水平な（ｈｏｒｉｚｏｎｔａｌ）」という用語は、その方向性に関係なく、記載されている装置が使用される、または記載されている方法が実行される領域の床の平面または表面と平行な平面として定義されている。「床（ｆｌｏｏｒ）」という用語は、「地面（ｇｒｏｕｎｄ）」という用語と置き換えることができる。「垂直な（ｖｅｒｔｉｃａｌ）」という用語は、すぐ上で定義した水平に対して直角な方向を指す。「上方（ａｂｏｖｅ）」、「下方（ｂｅｌｏｗ）」、「底部（ｂｏｔｔｏｍ）」、「上部（ｔｏｐ）」、「側部（ｓｉｄｅ）」、「より高い（ｈｉｇｈｅｒ）」、「より低い（ｌｏｗｅｒ）」、「より上の（ｕｐｐｅｒ）」、「〜の上の（ｏｖｅｒ）」、「〜の下の（ｕｎｄｅｒ）」という用語は、水平平面に対して定義されている。
【００７４】
全体として、特許請求の範囲の言語は、特許請求の範囲で採用される言語に基づいて広義に解釈されるように意図される。特許請求の範囲の言語は、本開示において例示して説明した、または出願を遂行する際に検討される、非排他的な実施形態および例に限定されないように意図される。
【００７５】
＜まとめ＞
照明付き保護カバーは、特定の実施形態および例（例えば足ペダル）の文脈で開示されてきたが、本開示は、具体的に開示された実施形態を越えて、他の代替実施形態および／または代替実施形態の使用に、ならびに特定の変形およびその等価物にも広がる。例えば、開示されたカバーのいずれも、外科的処置の間に使用される他の型の手術装置で使用されることができる。開示された実施形態のさまざまな特徴および態様は、コンベヤのさまざまなモードを形成するために、相互に組み合わせること、または相互に置き換えることができる。本開示の範囲は、本明細書に説明される特有の開示された実施形態によって制限されるべきものではない。
【００７６】
本明細書に開示される方法は、開業医によってとられる特定の行為を含むが、本明細書に開示される方法は、そうした行為についての任意の第三者による指示も、明白にまたは含蓄的に含むことができる。例えば、「少なくとも１つの照明装置を取り付けること」などの行為は、「少なくとも１つの照明装置の取り付けを指示すること」を含む。
【００７７】
上記の被覆組立体のいずれも、キットとして提供され得る。例えば、キットは、複数の照明装置、シート、および摩擦部分などの品目を含む場合もある。他の例では、キットは、複数の照明装置を取り付ける、またはシートを固定するための接着剤を含む場合もある。
【００７８】
個々の実施の文脈において、本開示で説明される特定の特徴は、単一の実施における組合せで実施することもできる。これとは逆に、単一の実施の文脈において説明されるさまざまな特徴は、複数の実施で別々に、または任意の適切な下位組合せで実施されることもできる。特徴は、特定の組合せで作用するように上述され得るが、請求された組合せによる１つ以上の特徴は、場合によっては、組合せから削除されることができ、組合せは、任意の下位組合せまたは任意の下位組合せの変型例として請求され得る。
【００７９】
その上、動作は、図面に描写されることができる、または特有の順序で明細書に記載されることができるが、そのような動作は、示された特有の順序または順次的な順序で実行する必要はなく、望ましい成果を達成するために、全ての動作が実行される必要はない。描写されていない、または説明されていない他の動作を、例示的な方法および行程に組み入れることもできる。例えば、１つ以上の追加的な動作を、記載した動作のいずれかの前、後、同時に、または間に実行することができる。さらに、動作は、他の実施において再構成または再整理することができる。また、上記の実施のさまざまなシステム構成要素の分離は、全ての実施においてそのような分離が必要であると理解されるべきではなく、説明された構成要素およびシステムは、一般的には、単一製品にまとめて一体化すること、または複数の製品に包入することができることを理解されるべきである。さらに、他の実施も、本開示の範囲内である。
【００８０】
いくつかの実施形態は、添付の図に関連して説明されてきた。図は、一定の比率で縮尺して描かれているおよび／または示されているが、そのような縮尺は、限定的であるべきではなく、なぜならば、示されているもの以外の寸法および比率も想定されており、それらも開示発明の範囲内であるからである。距離、角度などは、例証的なものにすぎず、必ずしも、例示された装置の実寸法およびレイアウトと厳密な関係性を持つわけではない。構成要素を、加える、取り除く、および／または再構成することもできる。さらに、各種実施形態に関連した任意の特有の特徴、態様、方法、性質、特性、品質、属性、要素等の本明細書の開示は、本明細書に記載される全ての他の実施形態で使用することができる。さらに、本明細書に記載されるどのような方法も、詳述されたステップを実行するのに適切な任意の装置を使用して実践することができる。
【００８１】
要約すれば、照明付き保護カバーの各種実施形態および例が、開示されてきた。組立体は、そうした実施形態および例の文脈で開示されてきたが、本開示は、具体的に開示された実施形態を越えて、他の代替実施形態および／または代替実施形態の他の使用に、ならびに特定の変形およびその等価物にも広がる。本開示は、開示された実施形態のさまざまな特徴および態様を相互に、組み合わせることまたは置き換えることが可能であることを明確に想定している。したがって、本開示の範囲は、上述の特有の開示された実施形態によって制限されるべきではなく、以下に続く特許請求の範囲を公平に読むことによってのみ確定されるべきである。
【００８２】
例示的実施形態
以下の例示的実施形態は、本明細書で開示される特徴の組合せについてのいくつかの可能な順列を特定するが、特徴の組合せの他の順列も可能である。
１．手術用足ペダルを照明するためのシステムであって、
手術用足ペダルであって、
少なくとも１つの足ペダルであって、各足ペダルは、初期構成から押し下げられた構成に移行するように構成されており、各足ペダルは、押し下げられた構成で手術用足ペダルの機能を起動させるように構成されている、少なくとも１つの足ペダルと、
上部縁と、
外科的処置の間、上部縁よりユーザの近くにある底部縁と、
上部縁と底部縁との間に延びる１対の側部縁と、
上面と、
外科的処置の間、床または他の表面上に配置される下面と
を備える手術用足ペダルと、
手術用足ペダルの上部縁および側部縁それぞれの長さの少なくとも大半を取り囲んでいる複数の照明装置と、
手術用足ペダルの上面および下面と、複数の照明装置とを取り囲んでいるシートであって、外科的処置の間、破壊屑から手術用足ペダルを保護するように構成されており、シートは、
複数の照明装置から照らされる光がシートの外部から見えるように、光学的に透過性を有する材料であって、手術用足ペダルの形状に実質的に適合するのに十分な可撓性を有する、光学的に透過性を有する材料を備え、
シートが、足ペダルに固定されるように構成され、摩擦部分がシートに取り付けられており、摩擦部分は、シートが足ペダルを取り囲んでいるときに摩擦部分が手術用足ペダルの底面に隣接するように、シート上に配置されており、摩擦部分は、足ペダルが床または他の表面に対して滑ることを防止するように構成されている、シートと、
を備えるシステム。
２．実施形態１のシステムであって、シートが、バッグを形成するように構成されているシステム。
３．実施形態１または２のシステムであって、シートが、透明または半透明の材料を備えるシステム。
４．実施形態１から３のいずれか１つのシステムであって、シートが、プラスチックを含むシステム。
５．実施形態１から４のいずれか１つのシステムであって、複数の照明装置のそれぞれが、赤色光を発するシステム。
６．実施形態１から５のいずれか１つのシステムであって、複数の照明装置のそれぞれが、管状であるシステム。
７．実施形態１から６のいずれか１つのシステムであって、複数の照明装置のそれぞれが、グロースティックであるシステム。
８．実施形態１から６のいずれか１つのシステムであって、複数の照明装置のそれぞれが、少なくとも１つのＬＥＤを備えるシステム。
９．実施形態７のシステムであって、複数の照明装置を起動および停止するためのスイッチをさらに備えるシステム。
１０．実施形態１から９のいずれか１つのシステムであって、手術用足ペダルを受け入れるように構成されたフレームをさらに備えるシステム。
１１．実施形態１０のシステムであって、シートが、フレームの周囲に固定されるように構成されているシステム。
１２．実施形態１０または１１のシステムであって、複数の照明装置の少なくとも１つが、フレームの内側面に配置されているシステム。
１３．実施形態１０から１２のいずれか１つのシステムであって、複数の照明装置の少なくとも１つが、フレームの外側面に配置されているシステム。
１４．実施形態１から９のいずれか１つのシステムであって、複数の照明装置のそれぞれが、手術用足ペダルに取り外し可能に取り付けられるシステム。
１５．実施形態１４のシステムであって、複数の照明装置を手術用足ペダルに取り外し可能に取り付けることができるように、複数の照明装置のそれぞれが、クリップに取り付けられるシステム。
１６．実施形態１４のシステムであって、複数の照明装置のそれぞれが、接着剤を使用して手術用足ペダルに固定されるシステム。
１７．実施形態１から９のいずれか１つのシステムであって、複数の照明装置のそれぞれが、シートに固定されるシステム。
１８．実施形態１７のシステムであって、複数の照明装置のそれぞれが、接着剤を使用してシートに固定されるシステム。
１９．実施形態１から１８のいずれか１つのシステムであって、シートが、接着剤を使用して手術用足ペダルに固定されるシステム。
２０．実施形態１から１９のいずれか１つのシステムであって、シートが、ワイヤを使用して手術用足ペダルに固定されるシステム。
２１．実施形態１から２０のいずれか１つのシステムであって、摩擦部分が、着脱可能な粘着材であるシステム。
２２．実施形態１から２１のいずれか１つのシステムであって、複数の照明装置のそれぞれが、少なくとも１つの足ペダルのそれぞれの上面より上の高さに位置付けられるシステム。
２３．照明付き保護被覆であって、
手術用足ペダルを受け入れるように構成されたフレームであって、
底壁と、
底壁の対向する側部側から上方へ延びる第１の壁および第２の壁と、
第１の壁と第２の壁との間に、底壁の側部に沿って延びる第３の壁と
を備えるフレームと、
複数の照明装置であって、複数の照明装置の１つは、フレームの第１の壁、第２の壁、および第３の壁のそれぞれに取り付けられる、複数の照明装置と、
外科的処置の間に生じる破壊屑からの保護を提供するために、フレームおよび複数の照明装置を被覆するように構成されたシートであって、
複数の照明装置から照らされる光がシートの外部から見えるように、光学的に透過性を有する材料であって、手術用足ペダルに実質的に適合するのに十分な可撓性を有する、光学的に透過性を有する材料と、
シートが手術用足ペダル上に配置されているときに摩擦部分が手術用足ペダルの底面に隣接するように、シート上に配置された摩擦部分であって、摩擦部分は、手術用足ペダルが床または他の表面に対して滑ることを防止するように構成されている、摩擦部分と
を備えるシートとを備える照明付き保護被覆。
２４．実施形態２３の照明付き保護被覆であって、シートが、手術用足ペダルに固定されるように構成されている照明付き保護被覆。
２５．実施形態２４の照明付き保護被覆であって、シートが、接着剤を使用して手術用足ペダルに固定されるように構成されている照明付き保護被覆。
２６．実施形態２４の照明付き保護被覆であって、シートが、ワイヤを使用して手術用足ペダルに固定されるように構成されている照明付き保護被覆。
２７．実施形態２３から２６のいずれか１つの照明付き保護被覆であって、複数の照明装置のそれぞれが、フレームの内側面に配置されている照明付き保護被覆。
２８．実施形態２３から２６のいずれか１つの照明付き保護被覆であって、複数の照明装置のそれぞれが、フレームの外側面に配置されている照明付き保護被覆。
２９．実施形態２３から２８のいずれか１つの照明付き保護被覆であって、複数の照明装置のそれぞれが、フレームの底壁より上に配置されている照明付き保護被覆。
３０．実施形態２３から２９のいずれか１つの照明付き保護被覆であって、シートが、バッグを形成するように構成されている照明付き保護被覆。
３１．実施形態２３から３０のいずれか１つの照明付き保護被覆であって、シートが、透明または半透明の材料を備える照明付き保護被覆。
３２．実施形態２３から３１のいずれか１つの照明付き保護被覆であって、シートが、プラスチックを含む照明付き保護被覆。
３３．実施形態２３から３２のいずれか１つの照明付き保護被覆であって、複数の照明装置のそれぞれが、赤色光を発する照明付き保護被覆。
３４．実施形態２３から３３のいずれか１つの照明付き保護被覆であって、複数の照明装置のそれぞれが、管状である照明付き保護被覆。
３５．実施形態２３から３４のいずれか１つの照明付き保護被覆であって、複数の照明装置のそれぞれが、グロースティックである照明付き保護被覆。
３６．実施形態２３から３４のいずれか１つの照明付き保護被覆であって、複数の照明装置のそれぞれが、少なくとも１つのＬＥＤを備える照明付き保護被覆。
３７．実施形態３６の照明付き保護被覆であって、複数の照明装置を起動および停止するためのスイッチをさらに備える照明付き保護被覆。
３８．実施形態２３から３７のいずれか１つの照明付き保護被覆であって、複数の照明装置のそれぞれが、接着剤を使用してフレームに取り付けられる照明付き保護被覆。
３９．実施形態２３から３７のいずれか１つの照明付き保護被覆であって、複数の照明装置のそれぞれが、複数の照明装置をフレームに取り外し可能に取り付けるように構成されたクリップに取り付けられる照明付き保護被覆。
４０．実施形態２３から３９のいずれか１つの照明付き保護被覆であって、摩擦部分が、着脱可能な接着剤である照明付き保護被覆。
４１．手術用足ペダルを照明する方法であって、
複数の照明装置を手術用足ペダルに取り付けることであって、手術用足ペダルは、
少なくとも１つの足ペダルであって、各足ペダルは、初期構成から押し下げられた構成に移行するように構成されており、各足ペダルは、押し下げられた構成で手術用足ペダルの機能を起動させるように構成されている、少なくとも１つの足ペダルと、
上部縁と、
外科的処置の間、上部縁よりユーザの近くにある底部縁と、
上部縁と底部縁との間に延びる１対の側部縁と、
上面と、
外科的処置の間、床または他の表面上に配置される下面とを備え、
複数の照明装置が、手術用足ペダルに取り付けられたときに、手術用足ペダルの上部縁および側部縁のそれぞれの長さの少なくとも大半を取り囲む、複数の照明装置を手術用足ペダルに取り付けることと、
シートで手術用足ペダルの上面および下面と、複数の照明装置とを取り囲むことであって、シートは、手術用足ペダルを使用する間に生じる水分および他の破壊屑から手術用足ペダルを保護するように構成されており、シートは、
複数の照明装置から照らされる光がシートの外部から見えるように、光学的に透過性を有する材料であって、手術用足ペダルの形状に実質的に適合するのに十分な可撓性を有する、光学的に透過性を有する材料と、
外科的処置の間に手術用足ペダルが表面に当たって滑ることを防止するように構成された摩擦面であって、シートが手術用足ペダルを取り囲んでいるときに手術用足ペダルの下面に隣接している摩擦面と
を備えるシートで、手術用足ペダルの上面および下面と、複数の照明装置とを取り囲むことと、
シートを手術用足ペダルに固定することと、
外科的処置の後、シートおよび複数の照明装置を取り外すこととを含む方法。
４２．実施形態４１の方法であって、複数の照明装置を手術用足ペダルに取り付けることが、複数の照明装置を手術用足ペダルにクリップ留めすることを含む方法。
４３．実施形態４１の方法であって、複数の照明装置を手術用足ペダルに取り付けることは、複数の照明装置を手術用足ペダルに接着することを含む方法。
４４．実施形態４１から４３のいずれか１つの方法であって、シートを手術用足ペダルに固定することが、シートを手術用足ペダルの一部の周囲で縛ることを含む方法。
４５．実施形態４１から４３のいずれか１つの方法であって、シートを手術用足ペダルに固定することが、シートを手術用足ペダルに固定するためにワイヤを使用することを含む方法。
４６．実施形態４１から４３のいずれか１つの方法であって、シートを手術用足ペダルに固定することが、シートを手術用足ペダルに接着することを含む方法。
４７．手術用足ペダルを照明する方法であって、
底壁と、
底壁の対向する側部側から上方へ延びる第１の壁および第２の壁と、
第１の壁と第２の壁との間に、底壁の側部に沿って延びる第３の壁と
を備えるフレームに、複数の照明装置を取り付けることと、
第１の壁、第２の壁、および第３の壁が手術用足ペダルを取り囲むように、手術用足ペダルをフレームの中に配置することであって、手術用足ペダルは、
少なくとも１つの足ペダルであって、各足ペダルは、初期構成から押し下げられた構成に移行するように構成されており、各足ペダルは、押し下げられた構成で手術用足ペダルの機能を起動させるように構成されている、少なくとも１つの足ペダルと、
上部縁と、
外科的処置の間、上部縁よりユーザの近くにある底部縁と、
上部縁と底部縁との間に延びる１対の側部縁と、
上面と、
外科的処置の間、床または他の表面上に配置される下面とを備え、
複数の照明装置が、手術用足ペダルに取り付けられたときに、手術用足ペダルの上部縁および側部縁のそれぞれの長さの少なくとも大半を取り囲む、手術用足ペダルをフレームの中に配置することと、
シートで手術用足ペダルの上面および下面と、複数の照明装置とを取り囲むことであって、シートは、手術用足ペダルを使用する間に生じる水分および他の破壊屑から手術用足ペダルを保護するように構成されており、シートは、
複数の照明装置から照らされる光がシートの外部から見えるように、光学的に透過性を有する材料であって、手術用足ペダルの形状に実質的に適合するのに十分な可撓性を有する、光学的に透過性を有する材料と、
外科的処置の間に手術用足ペダルが表面に当たって滑ることを防止するように構成された摩擦面であって、シートが手術用足ペダルを取り囲んでいるときに手術用足ペダルの下面に隣接している摩擦面と
を備えるシートで手術用足ペダルの上面および下面と、複数の照明装置とを取り囲むことと、
シートを手術用足ペダルに固定することと、
外科的処置の後、シートおよび複数の照明装置を取り外すこととを含む方法。
４８．実施形態４７の方法であって、複数の照明装置をフレームに取り付けることが、複数の照明装置をフレームにクリップ留めすることを含む方法。
４９．実施形態４７の方法であって、複数の照明装置をフレームに取り付けることが、複数の照明装置をフレームに接着することを含む方法。
５０．実施形態４７の方法であって、複数の照明装置をフレームに取り付けることが、複数の照明装置をフレームの内面に取り付けることを含む方法。
５１．実施形態４７の方法であって、複数の照明装置をフレームに取り付けることが、複数の照明装置をフレームの外面に取り付けることを含む方法。
５２．実施形態４７の方法であって、複数の照明装置をフレームに取り付けることが、複数の照明装置の１つをフレームの第１の壁、第２の壁、および第３の壁のそれぞれに取り付けることを含む方法。
５３．実施形態４７から５２のいずれか１つの方法であって、シートを手術用足ペダルに固定することが、シートを手術用足ペダルの一部の周囲で縛ることを含む方法。
５４．実施形態４７から５２のいずれか１つの方法であって、シートを手術用足ペダルに固定することが、シートを手術用足ペダルに固定するためにワイヤを使用することを含む方法。
５５．実施形態４７から５２のいずれか１つの方法であって、シートを手術用足ペダルに固定することが、シートを手術用足ペダルに接着することを含む方法。
【図１Ａ】
2017536180.tif 000003
【図１Ｂ】
2017536180.tif 000004
【図２Ａ】
2017536180.tif 000005
【図２Ｂ】
2017536180.tif 000006
【図３Ａ】
2017536180.tif 000007
【図３Ｂ】
2017536180.tif 000008
【図４Ａ】
2017536180.tif 000009
【図４Ｂ】
2017536180.tif 000010
【図４Ｃ】
2017536180.tif 000011
【図５Ａ】
2017536180.tif 000012
【図５Ｂ】
2017536180.tif 000013
【図５Ｃ】
2017536180.tif 000014
【図５Ｄ】
2017536180.tif 000015
【図５Ｅ】
2017536180.tif 000016
【図５Ｆ】
2017536180.tif 000017
【図５Ｇ】
2017536180.tif 000018
【図５Ｈ】
2017536180.tif 000019
【図６Ａ】
2017536180.tif 000020
【図６Ｂ】
2017536180.tif 000021
【図６Ｃ】
2017536180.tif 000022
【図７】
2017536180.tif 000023
【手続補正書】
【提出日】平成29年7月20日(2017.7.20)
【手続補正１】
【補正対象書類名】特許請求の範囲
【補正対象項目名】全文
【補正方法】変更
【補正の内容】
【特許請求の範囲】
【請求項１】
１つ以上の足ペダルを照明するためのシステムであって、
初期位置から押し下げられた位置に移行するように構成されており、前記押し下げられた位置にあるときに所定の機能を起動させるように配置されており、上面および下面を有し、前記下面は床または他の表面上に配置されるのに適している、１つ以上の足ペダルと、
前記１つ以上の足ペダルのそれぞれの周囲の大半を取り囲み、光を照射する複数の照明装置と、
前記１つ以上の足ペダルのそれぞれに接続されており、前記１つ以上の足ペダルのそれぞれの前記上面および前記下面と、前記複数の照明装置とを実質的に被覆しているシートであって、当該シートは、破壊屑から前記１つ以上の足ペダルのそれぞれを保護するように配置されており、当該シートは、前記複数の照明装置から光が照射されているときに光が前記シートの外部から見えるように、光学的に透過性を有する材料を有し、前記光学的に透過性を有する材料は、前記１つ以上の足ペダルのそれぞれの形状に実質的に適合するのに十分な可撓性を有する、シートと、
前記シートに取り付けられた摩擦部分であって、当該摩擦部分は、前記シートが前記１つ以上の足ペダルを被覆するとき、当該摩擦部分が前記１つ以上の足ペダルのそれぞれの底面に隣接するように前記シートの上に配置されており、当該摩擦部分は、前記１つ以上の足ペダルのそれぞれが前記床または他の表面に対して滑ることを防止するように配置されている、摩擦部分と、
を備えるシステム。
【請求項２】
請求項１に記載のシステムであって、前記１つ以上の足ペダルを受け入れるように配置されたフレームをさらに備えることを特徴とするシステム。
【請求項３】
請求項２に記載のシステムであって、前記フレームが、底壁と、前記底壁の両側の側辺部から上方へ延びる第１の壁および第２の壁と、前記第１の壁と前記第２の壁の間に前記底壁の辺部に沿って延びる第３の壁と、を有することを特徴とするシステム。
【請求項４】
請求項２に記載のシステムであって、前記シートが前記フレームにさらに接続されていることを特徴とするシステム。
【請求項５】
請求項２に記載のシステムであって、前記複数の照明装置が、前記フレームの内側の面および前記フレームの外側の面の１つ以上に配置されていることを特徴とするシステム。
【請求項６】
請求項１に記載のシステムであって、前記複数の照明装置を起動および停止するためのスイッチをさらに備えることを特徴とするシステム。
【請求項７】
請求項１に記載のシステムであって、前記複数の照明装置のそれぞれが、前記１つ以上の足ペダルの１つ以上および前記シートに取り外し可能に取り付けられることを特徴とするシステム。
【請求項８】
請求項１に記載のシステムであって、前記複数の照明装置のそれぞれが、前記１つ以上の足ペダルのそれぞれの上面より上の高さに位置付けられることを特徴とするシステム。
【請求項９】
１つ以上の足ペダルを被覆して、照明する照明付き保護被覆であって、
前記１つ以上の足ペダルを受け入れるように配置されるフレームであって、底壁と、前記底壁の両側の側辺部から上方へ延びる第１の壁および第２の壁と、前記第１の壁と前記第２の壁の間に前記底壁の辺部に沿って延びる第３の壁と、を有する、フレームと、
光を照射する複数の照明装置であって、当該複数の照明装置の１つ以上が、前記フレームの前記第１の壁、前記第２の壁、および前記第３の壁のそれぞれに取り付けられる、複数の照明装置と、
破壊屑からの保護を提供するために、前記フレームおよび前記複数の照明装置を被覆するように配置されたシートであって、
光が前記複数の照明装置から照射されるときに光が当該シートの外部から見えるように、光学的に透過性を有する材料であって、前記１つ以上の足ペダルに実質的に適合するのに十分な可撓性を有する、光学的に透過性を有する材料と、
当該シートが前記１つ以上の足ペダル上に配置されているときに、前記１つ以上の足ペダルのそれぞれの底面に隣接するように当該シート上に配置された摩擦部分であって、前記１つ以上の足ペダルが床または他の表面に対して滑ることを防止するように配置されている摩擦部分と、
を有するシートと、
を備えることを特徴とする、照明付き保護被覆。
【請求項１０】
請求項９に記載の照明付き保護被覆であって、前記シートが、前記１つ以上の足ペダルに接続するように配置されていることを特徴とする、照明付き保護被覆。
【請求項１１】
請求項９に記載の照明付き保護被覆であって、前記複数の照明装置が、前記フレームの内側の面および前記フレームの外側の面の１つ以上に配置されていることを特徴とする照明付き保護被覆。
【請求項１２】
請求項９に記載の照明付き保護被覆であって、前記複数の照明装置のそれぞれが、前記フレームの前記底壁より上に配置されていることを特徴とする照明付き保護被覆。
【請求項１３】
１つ以上の足ペダルを照明する方法であって、
複数の照明装置とシートを有する照明付き被覆を前記１つ以上の足ペダルに取り付けるステップと、
前記シートで前記１つ以上の足ペダルの上面および下面と、前記複数の照明装置とを被覆し、当該シートは、水分および他の破壊屑から前記１つ以上の足ペダルを保護するように配置される、ステップと、
前記照明付き被覆を前記１つ以上の足ペダルに固定するステップと、
前記１つ以上の足ペダルを使用した後、前記照明付き被覆を取り外すステップと、
を含み、
前記複数の照明装置は、前記１つ以上の足ペダルに取り付けられたときに、前記１つ以上の足ペダルの周囲の大半を取り囲み、
前記シートは、光が前記複数の照明装置から照射されるときに光が当該シートの外部から見えるように、光学的に透過性を有する材料であって、前記１つ以上の足ペダルの形状に実質的に適合するのに十分な可撓性を有する、光学的に透過性を有する材料と、
前記シートは、前記１つ以上の足ペダルが床または他の表面に対して滑ることを防止するように配置された摩擦面であって、前記シートが前記１つ以上の足ペダルを被覆しているときに、前記１つ以上の足ペダルの下面に隣接している摩擦面を有する、
ことを特徴とする方法。
【請求項１４】
請求項１３に記載の方法であって、さらに、
前記複数の照明装置を、底壁と、前記底壁の両側の側辺部から上方へ延びる第１の壁および第２の壁と、前記第１の壁と前記第２の壁との間に前記底壁の辺部に沿って延びる第３の壁とを備えたフレームに取り付けるステップと、
前記第１の壁、前記第２の壁、および前記第３の壁が前記１つ以上の足ペダルを取り囲むように、前記１つ以上の足ペダルを前記フレームの中に配置するステップと、
を含み、
前記１つ以上の足ペダルは、それぞれ、初期位置から押し下げられた位置に移行するように構成されており、前記押し下げられた位置にあるときに当該足ペダルの機能を起動させるように配置されており、さらに上面と下面を有し、前記下面は、床または他の表面上に配置されるのに適しており、
前記複数の照明装置が、前記１つ以上の足ペダルのそれぞれの周囲の大半を取り囲み、光を照射する、
ことを特徴とする方法。
【請求項１５】
請求項１４に記載の方法であって、前記複数の照明装置のそれぞれを前記フレームに取り付けるステップは、前記複数の照明装置を前記フレームの内面および前記フレームの外面の１つ以上に取り付けるステップを含むことを特徴とする方法。
【国際調査報告】
2017536180.tif 000024